(57)【要約】【課題】  電気計器への接続を解いた電線先端の被覆が除去されている導体が曲がったり、バラけたりしても、各電線を先端の導体まで確実に独立に保持して、導体同士が接触することを防止した無停電取替工具のスライド式電線固定台である。【解決手段】  スライド式電線固定台は、無停電取替工具１０の押え台１２の下端の溝１４と共同して各電線３６を収容する溝２２を有すると共に、押え台１２に締結されることによって各電線３６を固定する固定台本体２１と、各電線３６を収容する溝２６を有すると共に、固定台本体に付勢手段によって前方に伸長可能に取付けられ、伸長することによって、固定された各電線３６を先端部において独立に支持するスライダ２３とからなる。【選択図】        図２
2005283209.tif 000002
【特許請求の範囲】
【請求項１】
電気計器に接続された電源側電線と負荷側電線の各電線を無停電取替工具の押し切りねじが設けられた押え台の下端の溝と協同して独立に収容する溝を有し、押え台に締結されることによって前記各電線を固定する電線固定台において、
前記固定台は、前記押え台の下端の溝と共同して各電線を収容する溝を有すると共に、押え台に締結されることによって前記各電線を固定する固定台本体と、各電線を収容する溝を有すると共に、固定台本体に付勢手段によって前方に伸長可能に取付けられ、伸長することによって前記固定された各電線を先端部において独立に支持するスライダとからなることを特徴とする無停電取替工具のスライド式電線固定台。
【請求項２】
前記スライダは、伸長方向に対し先端が直角方向に上昇する向きに固定台本体に傾斜した姿勢でスライド自在に取付けられ、スライダ先端部の溝は固定台本体の溝より深く設けられ、これによって前記スライダは伸長したときに、前記固定された各電線の先端の被覆が除去されている導体をスライダ先端部の溝で受けて、各電線を先端の被覆が除去されている導体の部分まで真っ直ぐに支持することを特徴とする請求項１記載のスライド式電線固定台。
【請求項３】
前記スライダは、固定台本体内の両側部にスライド自在に取付けられた１対のアームと、該アームの先端部間に設けられた各電線を収容する溝を有する支持バーとを備え、各アームの先端部の外面に円錐穴を設けるとともに、固定台本体内の長手方向両端の各側部に設けた貫通孔に前記円錐穴に一端が係合する少なくとも両端が湾曲面の留めピースを挿入し、各アーム内にその長手方向に設けた軸に圧縮ばねを嵌装し、固定台本体の前記各側部に留めピースの他端を押えるつまみをスライド自在に設け、そしてスライダを圧縮ばねの弾性力に抗して後退させることによって、各アームの円錐穴に留めピースを係合させて、該係合した留めピースの他端をつまみで押えることにより、固定台本体にスライダを伸長方向に付勢状態に固定したことを特徴とする請求項１または２記載のスライド式電線固定台。
【発明の詳細な説明】
【技術分野】
【０００１】
本発明は、電力量計などの電気計器を無停電で交換するのに使用される無停電取替工具の電線固定台に関し、特に電気計器に接続された電源側電線と負荷側電線を固定後、電線を工具本体のバイパス回路に接続して、電気計器の取外しおよび取付けを行う際に、電線が互いに接触しないように電線を独立保持することを確実にしたスライド式電線固定台に関する。
【背景技術】
【０００２】
従来より、電力量計などの電気計器に接続された電源側電線と負荷側電線との間を遮断せずに、電気計器を交換することことができる無停電取替工具が知られている。
【０００３】
従来の無停電取替工具は、例えば図８（ａ）〜（ｃ）に示すように、バイパス回路が設けられた工具本体１１０と、該工具本体１１０の前面に固定された押え台１１１と、締結ねじ１１７によって押え台１１１の下端に締結される固定台１１３とからなっている。そして、図示しない電力量計に接続された電源側と負荷側の各３線の電線１１５（１ｓ、２ｓ、３ｓ、３L、２L、１L）を押え台１１１の下端に設けられた各溝１１２と固定台１１３に設けられた各溝１１４の間に収容し、固定台１１３を押え台１１１に締付けねじ１１７で締結することによって各電線１１５を固定し、各電線が隣の電線に接触しないように独立に保持する。
【０００４】
そして押え台１１１内に配設した各電線１１５に対応する押し切りねじ１１６をねじ込んで、各電線１１５の被覆を通って導体に当接させることにより、各電線１１５を押し切りねじと接続した押え台１１１内のインサート導体を介して工具本体１１０内のバイパス回路と導通させ、これによって電気計器を取り外して、無停電で交換ができるようになっている（例えば特許文献１の図４参照）。
【０００５】
しかしながら、電力量計から電源側電線と負荷側電線を外すために、電線先端の被覆が除去された導体を電力量計の端子部に固定しているねじを緩めて、接続を解く際、ねじを緩める作業によって導体が曲がったり、導体の撚り線がバラけたりすることがある。このため無通電工具の押え台と固定台の各溝で電線を固定して、各電線を独立に保持していても、電力量計を取り外すときに、電線先端のバラけたり、撚り線が曲がったりした導体が隣の電線先端の導体に接触して、短絡事故を起こす危険を招くことがあった。
【特許文献１】特許第３１３９９７０号
【発明の開示】
【発明が解決しようとする課題】
【０００６】
したがって本発明の課題は、電気計器への接続を解いた電線先端の被覆が除去されている導体が曲がったり、バラけたりしても、各電線を先端の導体まで確実に独立に保持して、導体同士が接触することを防止した無停電取替工具の電線固定台を提供することである。
【課題を解決するための手段】
【０００７】
上記課題を解決するために、本発明では電線固定台をスライド式にした。即ち、本発明の請求項１は、電気計器に接続された電源側電線と負荷側電線の各電線を無停電取替工具の押し切りねじが設けられた押え台の下端の溝と協同して独立に収容する溝を有し、押え台に締結されることによって前記各電線を固定する電線固定台において、前記固定台は、前記押え台の下端の溝と共同して各電線を収容する溝を有すると共に、押え台に締結されることによって前記各電線を固定する固定台本体と、各電線を収容する溝を有すると共に、固定台本体に付勢手段によって前方に伸長可能に取付けられ、伸長することによって前記固定された各電線を先端部において独立に支持するスライダとからなることを特徴とする。
【０００８】
本発明では、固定台のスライダを伸長させると、押え台の溝と固定台本体の溝の間に固定された各電線の先端部をスライダの溝で独立に支持するので、各電線を先端の被覆が除去されている導体まで確実に支持することができ、導体が曲がったり、導体の撚り線がバラけたりしていても、導体同士が接触するのをなくして、電気計器の無停電交換工事を安全に行うことができる。
【０００９】
この場合、スライダを固定台本体と同一高さとし、スライダの溝の深さを固定台本体の溝の深さと同一深さとしてもよいが、スライダが邪魔になって固定台を電線の下に入れずらくなる。これに対し、本発明の請求項２のように、スライダを伸長方向に対し先端が直角方向に上昇する向きに固定台本体に傾斜した姿勢でスライド自在に取付け、スライダ先端部の溝を固定台本体の溝より深く設けておけば、スライダが伸長したときに、固定された各電線先端の被覆が除去されている導体まで各電線を真っ直ぐに支持でき、導体同士の接触を防止すると共に、固定台を電線の下に入れる際にスライダが邪魔になることがない。
【００１０】
本発明の請求項３では、前記スライダは、固定台本体内の両側部にスライド自在に取付けられた１対のアームと、該アームの先端部間に設けられた各電線を収容する溝を有する支持バーとを備え、各アームの先端部の外面に円錐穴を設けるとともに、固定台本体内の長手方向両端の各側部に設けた貫通孔に前記円錐穴に一端が係合する少なくとも両端が湾曲面の留めピースを挿入し、各アーム内にその長手方向に設けた軸に圧縮ばねを嵌装し、固定台本体の前記各側部に留めピースの他端を押えるつまみをスライド自在に設け、そしてスライダを圧縮ばねの弾性力に抗して後退させることによって、各アームの円錐穴に留めピースを係合させて、該係合した留めピースの他端をつまみで押えることにより、固定台本体にスライダを伸長方向に付勢状態に固定した。
【００１１】
これによれば、後退位置にあるスライダは、アームに圧縮ばねによって伸張方向の付勢力が掛かっているため、留めピースにはアームの円錐穴から留めピースを後方に押し出そうとする力が作用するが、留めピースはつまみによって押えられているので、円錐穴に係合した位置に止めることができ、スライダを伸長方向に付勢する付勢手段の機構が簡単である。
【発明の効果】
【００１２】
本発明の無停電取替工具のスライド式電線固定台によれば、電気計器への接続を解いた電線先端の被覆が除去されている導体が曲がったり、撚り線がバラけたりしても、各電線を先端の導体まで確実に独立に保持し、導体同士が接触するのをなくして、電気計器の無停電交換工事を安全に行うことができる。
【発明を実施するための最良の形態】
【００１３】
以下、図面を参照して本発明の実施例を詳述する。図１、２および３は、本発明の一実施例に係るスライド式電線固定台が取り付けられた無停電取替工具を示す平面図、正面図および側面図である。
【００１４】
無停電取替工具１０は、内にバイパス回路が設けられた工具本体１１と、該工具本体１１の正面に固定された押え台１２と、該押え台１２の下端に取付けられるスライド式固定台２０とからなっている。固定台２０は、固定台本体２１と該固定台本体２１に取付けた伸張可能なスライダ２３とからなり、固定台本体２１は、押さえ台１２の両端および中間の締め付けねじ１３ａ、１３ｂによって押え台１２の下端に締結される。
【００１５】
本実施例では、無停電取替工具１０は、電源側電線と負荷側電線が各３線の電気計器の無停電交換工事に使用される３線用を示し、押え台１２の下端には、半円形の６個の溝１４が幅方向に一列に設けられ、固定台本体２１の上部には、これと対応する位置に略三角形状の溝２２が６個設けられている。図示しない電気計器に接続された左側の３本の電源側電線３６（電源側電線１s、２ｓ、３ｓ）と右側の３本の負荷側電線３６（負荷側電線１L、２L、３L）は、押え台１２の１４と固定台本体２１の溝２２との間に収容して、固定台本体２１の押え台１２への締結によって、互いに接触しないように独立に固定保持される。
【００１６】
押え台１２には幅方向に、各電線３６に対応する押し切りねじ１５が配設されており、押え台１２内のインサート導体に設けたねじ穴に装着されている。電源側と負荷側の電線３６のうち外側から２番目の電線３６は、回路の保全のため、押し切りねじ１５は各２個とされる。押し切りねじ１５をねじ込むことによって、押し切りねじ１５が押え台１２の溝１４と固定台本体２１の溝２２との間に固定された各電線の被覆を挿通して各電線の導体に接触し、押え台１２内のインサート導体およびこれと接続された工具本体１１の端子部を介してバイパス回路に導通される。工具本体１１のバイパス回路は、工具本体のトグルスイッチ１６によって開閉される。
【００１７】
電線固定台２０のスライダ２３は、図４に示すように、固定台本体２１内の両側部に前方に伸張可能に取付けられたスライド自在な１対のアーム２４と、該アーム２４の先端部間に一体に設けられた支持バー２５とを備える。詳しくは、アーム２４は固定台本体２１に、伸張方向に対して直角に上昇する向きに傾斜した姿勢で取付けられている。支持バー２５には、各電線を独立に支持するための半円形の溝２６が設けられている。このうち最も内側の２本の電線３６（電源側電線３ｓと負荷側電線３L）とに対応する溝２６は、これらの電線の導体同士が接触しても問題ないので、別々に分けずに１つの広い溝に形成している。支持バー２５の各溝２６は、スライダ２３が傾斜して伸長するので、固定台本体２１の溝２２よりも深く設けられている。各アーム２４の先端部の外面には、図５に示すように、円錐穴２７が設けられている。
【００１８】
固定台本体２１は、断面略コ字状の上下２個のフレームからなり、ねじで結合して組み立てられる。この下フレームの長手方向両端の各側部には、図６に示すように、該下フレーム２８の端面に平行なブロック２８ａが底面から突設され、該ブロック２８ａにフレームの長手方向の貫通孔２８ｂが設けられ、該貫通孔２８ｂにアームの円錐穴２７に一端が係合する留めピース３０が挿入されている。留めピース３０は両端面が湾曲面に形成された金属製のピン棒からなり、両端が貫通孔２８ｂからわずかに露出する長さとされている。なお、貫通孔２８ｂの長さを短くすれば、ピン棒の留めピースの代わりに、金属球を用いてもよい。
【００１９】
各アーム２３内には長手方向の軸３１が中央に設けられており、下フレーム２８の後部の長手方向の縁部に設けた軸３１をはさむ突起２８ｃとアーム２４内の先端部に設けた仕切り片２４ａとの間で、軸３１に圧縮ばね３２が嵌装されている。固定台本体２１の長手方向両端の各端面には、留めピース３０の他端を押える押え板３３ａを一体に設けたつまみ３３が取り付けられている。押え板３３ａはつまみ３３から突出した軸の先端に直角に設けられ、上下のフレーム２８、２９の長手方向両端の各端部と下フレーム２８のブロック２８ａとの間に形成される幅方向に前後の案内溝３４に挿入されている。つまみ３３は、該溝３４を押え板３３ａの案内として、固定台本体２１の幅方向の前後にスライド自在に設置される。押さえ板３３ａの留めピース３０側の面には、留めピースとの摩擦による磨耗を防止するために図示しない金属薄板を取り付けてある。
【００２０】
スライダ２３を支持バー２５が固定台本体２１の前端に当接する位置まで圧縮ばね３２の弾性に抗して後方に後退させると、各アーム２４の円錐穴２７が下フレーム２８のブロック２８ａの貫通孔２８ｂの位置まで移動する。その状態でつまみ３３を前方に押すと、押さえ板３３ａが留めピース３０の他端に当接して留めピース３０を押し、留めピース３０の一端が円錐状の穴２７の入り口に係合する。この状態で、アーム２３には圧縮ばね３２によって伸張方向の付勢力が掛かっているため、留めピース３０にはアーム２３の円錐穴から留めピース３０を後方に押し出そうとする力が作用するが、留めピース３０は押え板３３ａによって押えられているので、円錐穴２７に係合した位置に止まる。
【００２１】
これにより、図４に示すように、固定台本体２１に対し後退位置にあるスライダ２３が、伸長方向に付勢された状態で固定台本体２１に固定される。つまみ３３を後側に押すと、押さえ板３３ａが留めピース３０から外れ、留めピース３０が円錐穴２７から押出されて、スライダ２３が圧縮ばね３２の弾性力によって前方に押し出される。スライダ２３は固定台本体２１に傾斜姿勢で取り付けているので、スライダ２３は傾斜して伸長し、先端の支持バー２５が伸長方向に対し直角方向に上昇する。
【００２２】
支持バー２５の各溝２６は、前記したように、固定台本体２１の溝２２よりも深く設けているが、その溝２６の深さは、スライダ２３の伸長によって上昇した支持バー２５上にあって、固定台本体２１の溝２２と略同一高さとなる深さとする。これによって、押え台１２の溝１４と固定台本体２１の溝２２とで固定された電線部分と、その先端の被覆が除去されている導体部分との間に段差があっても、導体３６’を支持バー２５の溝２６で受けて、電線３６を先端の導体３６’まで真っ直ぐに支持でき、各電線３６の先端の導体３６’が曲がっていたり、導体３６’の撚り線がバラけたりしていても、隣の導体に接触しないように独立に支持することができる。
【００２３】
本発明のスライド式電線固定台を備えた無停電取替工具によって電気計器、例えば電力量計を無停電で交換工事をするには、無停電取替工具１０から固定台２０を外して、図７（ａ）に示すように、固定台２０を電力量計３５に接続された電源側電線３６ａ、３６ｂ、３６ｃ（電線１ｓ、２ｓ、３ｓ）、負荷側電線３６ｄ、３６ｅ、３６ｆ（電線３L、２L、１L）の下側に入れ、各電線３６（３６ａ〜３６ｆ）を固定台本体２１の溝２２に収容する。ついで工具本体１１を手で持って押え台１２の溝１４を各電線３６に当て、図７（ｂ）に示すように、その状態で締付けねじ1３ａ等のねじで押え台１２に固定台２０を締結し、各電線３６を溝１４と２２との間で固定する。これによって電線３５への無停電取替工具１０の取付けが完了する。この取付け作業の間、工具本体１１が脱落しないように、押え台１２に取付けてある図示しない吊りフックを電力量計３５の周囲の適当な場所に引っ掛けておく。
【００２４】
ついで押し切りねじによる電線３６とバイパス回路との接続作業を行ったら、電線３６の先端の被覆が除去されている導体を電力量計３５の端子部に結合しているねじ３７を緩めると共に、固定台２０のつまみ３３を下側（後側）に押してから、電力量計３５を支持板３８から取り外すと、電力量計３５を取り外すに従って、図７（ｃ）に示すように、固定台２０からスライダ２３が前方に伸長し、電線３６の先端の導体３６’がスライダ２３の支持バー２５の溝２６で受けられて、電線３６が先端の導体３６’まで真っ直ぐに支持される。これによって、ねじ３７を緩める作業で電線先端の導体３６’が曲がったり、導体３６’の撚り線がバラけたりしていても、隣の導体に接触するのを防止できる。
【００２５】
新たな電力量計を取付けるには、スライダ２３を伸長した状態で新たな電力量計を支持板３８に固定し、スライダ２３の支持バー２５に支持された各電線３６の導体３６’を新たな電力量計の端子部に固定する。ついで固定台本体２１の前端に支持バー２５が当たる位置まで手でスライダを後退させ、つまみ３３を上側（前側）に押して、スライダ２３を固定台本体２１に固定したら、その後は、押し切りねじによるバイパス回路との接続を解除し、無停電取替工具を電線から外せばよい。各電線３６の導体３６’をスライダ２３の支持バー２５で支持しながら、導体３６’の電力量計の端子部への固定作業を行えるので、電力量計の取付け作業を安全に行うことができる。
【００２６】
以上の実施例では、本発明のスライド式電線固定台を３線用の無停電取替工具（単三用の無停電取替工具）の電線固定台に適用した場合について説明したが、本発明は、２線用の無停電取替工具（単二用の無停電取替工具）の電線固定台についても適用することができる。
【００２７】
また本発明のスライド式電線固定台を設置する無停電取替工具は、単二専用のもの、単三専用のものだけでなく、単二・単三共用分離型無停電取替工具であってもよい。この共用分離型の無停電取替工具は、３線用のバイパス回路を備えた工具本体に、バイパス回路に接続した計６個の本体側端子を下端に露出させた導通制御部を突設して、本体端子上に６個の導通用ねじを配設すると共に、押え台に該導通制御部を跨らせて固定する端子台を突設して、端子台の上端に押え台の押し切りねじと接続した押え台側端子を露出させ、押え台が３線用か、２線用かに応じて６個または４個の導通用ねじで押え台側端子と本体側端子とを接続することにより、工具本体を３線用の押え台にも、２線用の押え台にも共用できるようにしたものである。
【図面の簡単な説明】
【００２８】
【図１】本発明の一実施例に係るスライド式電線固定台を備えた無停電取替工具を示す平面図である。
【図２】図１の無停電取替工具の正面図である。
【図３】無停電取替工具の側面図である。
【図４】図１の無停電取替工具に備えたスライド式電線固定台のスライダ後退位置の状態を示す平面図（ａ）および側面図（ｂ）である。
【図５】スライド式電線固定台のスライダ伸長位置の状態示す平面図（ａ）および側面図（ｂ）である。
【図６】スライド式電線固定台のスライダの付勢機構を示す一部切り欠き平面図（ａ）および留めピースによるスライダの固定法を示す説明図（ｂ）である。
【図７】図１の無停電取替工具を使用した電力量計の取り外し作業を示す説明図である。
【図８】従来の無停電取替工具を示す平面図（ａ）、背面図（ｂ）および側面図（ｃ）である。
【符号の説明】
【００２９】
１０  無停電取替工具                        １１  工具本体
１２  押え台                            ２０  スライド式固定台
２１  固定台本体                        ２２、２６  溝
２３  スライダ                          ２４  アーム
２５  支持バー                          ２７  円錐穴
３０  留めピース                        ３１  圧縮ばね
３３  つまみ                            ３６  電線
【図１】
2005283209.tif 000003
【図２】
2005283209.tif 000004
【図３】
2005283209.tif 000005
【図４】
2005283209.tif 000006
【図５】
2005283209.tif 000007
【図６】
2005283209.tif 000008
【図７】
2005283209.tif 000009
【図８】
2005283209.tif 000010